(57)【要約】【課題】ＲＯＭカセットの不正な交換を防止し、かつＲＯＭカセットの確認及び機種変更時の交換を容易にする。【解決手段】遊技盤４に背後が観察可能な視認窓５０を設け、この視認窓５０に対面する位置にＲＯＭカセット４５を配置する。ＲＯＭカセット４５は、遊技盤４、背面カバー５３、遊技機本体５に設けられた遊技盤収納部２３で形成される枠状空間内に収納され、前面扉６及び受け皿ユニット７、遊技盤４が開放されないとアクセスすることができない。視認窓５０は、前面扉６の開口６ｄに対面し、この視認窓５０を通してパチンコ機２の外部からＲＯＭカセット４５を確認することができる。【選択図】図３
2009017934.tif 000002
【特許請求の範囲】
【請求項１】
遊技機本体内に設けられ、前記遊技機本体の前方から遊技制御用の制御情報等を記憶した記憶手段が着脱されるコネクタと、
前記コネクタの前方を開閉するように、前記遊技機本体の前面側に軸着された遊技盤と、
前記遊技機本体の背面側から前記コネクタを覆い、前記記憶手段に対する背面側からのアクセスを防止する背面カバーと、
前記遊技盤、または前記背面カバーに設けられ、前記記憶手段を視認可能にする視認窓とを備えたことを特徴とする弾球遊技機。
【請求項２】
前記遊技盤の下方に前記遊技機本体の前面側を開閉する受け皿ユニットを有し、前記遊技盤の下部に、下方に突出されて前記受け皿ユニットの背後にオーバーラップするロック片を設けたことを特徴とする請求項１記載の弾球遊技機。
【請求項３】
前記遊技機本体に軸支されて前記遊技盤の前方を開閉する前面扉を有し、前記遊技盤は、前記前面扉と異なる軸方向で開閉自在、かつ着脱自在に軸支されることを特徴とする請求項１または２記載の弾球遊技機。
【請求項４】
前記背面カバーは、開口部の周縁に外側に向けて突出されたフランジ部を有する略箱形状であり、前記遊技機本体の前面側から前記開口部が前方を向いた状態で挿入され、前記フランジ部が前記遊技機本体内に固着されることを特徴とする請求項１〜３いずれか記載の弾球遊技機。
【発明の詳細な説明】
【技術分野】
【０００１】
本発明は、遊技制御用の制御情報等を記憶した記憶手段が交換される弾球遊技機に関する。
【背景技術】
【０００２】
発射機構により遊技盤上に遊技球を打ち出し、遊技盤上を流下する遊技球を入賞口に入賞させ、入賞の景品である賞球の払い出しを受ける弾球遊技機として、パチンコ機が知られている。パチンコ機は、複数のユニットから構成されており、例えば、遊技球の発射、払い出し、排出等に関する機構が組み込まれて遊技店の島設備に設置される遊技機本体と、この遊技機本体の前面側に開閉自在かつ着脱自在に取り付けられ、前面及び背面に遊技領域及び制御基板等が設けられた遊技盤と、遊技領域の前方を視認可能に覆う前面扉等を備えている。
【０００３】
パチンコ機には、遊技店で遊技盤等を交換することにより機種が変更されるものがある。古い遊技盤は、パチンコ機の前面側から遊技機本体に軸着された前面扉及び遊技盤を開放し、遊技機本体と制御基板とを電気的に接続しているコネクタを取り外した後に遊技機本体から取り外される。新しい遊技盤は、古い遊技盤の取り外しと逆の手順で遊技機本体に取り付けられる。
【０００４】
遊技店での機種変更は、複数台のパチンコ機で一斉に行なわれることが多いため、コストが高く、作業中は営業を休止しなければならないという問題があった。そこで、よりローコスト、かつ短時間で機種変更が可能なパチンコ機として、例えば、特許文献１記載のパチンコ機が知られている。このパチンコ機は、遊技盤を透明な材質で形成し、その背後に遊技盤と同程度のサイズのＬＣＤパネルを配置して遊技盤の全域で画像表示や演出を行ない、機種変更時には、ＬＣＤパネルに表示される画像や演出データ、制御プログラム等が記憶されたＲＯＭカセット等が交換される。
【特許文献１】特開２００５−０４６３２７号公報
【発明の開示】
【発明が解決しようとする課題】
【０００５】
上記パチンコ機は、ＲＯＭカセットの交換だけで機種が変更されるため、ＲＯＭカセットの不正な交換を確実に防止する必要がある。また、不正交換を早期に発見するため、ＲＯＭカセットの確認が簡単に行なえることも必要となる。しかし、ＲＯＭカセットが交換しにくい構造にすると、ＲＯＭカセットの確認検査、機種変更等に時間がかかるという問題がある。
【０００６】
本発明は、上記問題を解決するため、ＲＯＭカセットの不正な交換を防止し、かつＲＯＭカセットの確認及び機種変更時のＲＯＭカセットの交換が容易な弾球遊技機を提供する。
【課題を解決するための手段】
【０００７】
上記課題を解決するために本発明の弾球遊技機は、遊技機本体内に設けられ、前方から遊技制御用の制御情報等を記憶した記憶手段が着脱されるコネクタと、コネクタの前方を開閉するように遊技機本体の前面側に軸着された遊技盤と、遊技機本体の背面側からコネクタを覆って記憶手段に対するアクセスを防止する背面カバーと、遊技盤または背面カバーに設けられて記憶手段を視認可能にする視認窓とを備えたものである。
【０００８】
更に、遊技盤の下方に遊技機本体の前面側を開閉する受け皿ユニットを備えている場合、遊技盤の下部に下方に突出されて受け皿ユニットの背後にオーバーラップするロック片を設けたものである。
【０００９】
また、遊技機本体に軸支されて遊技盤の前方を開閉する前面扉を備えている場合、遊技盤の前面扉と異なる軸方向で開閉自在とし、かつ着脱自在となるように軸支したものである。
【００１０】
更に、背面カバーは、開口部の周縁に外側に向けて突出されたフランジ部を有する略箱形状に形成し、遊技機本体の前面側から開口部が前方を向いた状態で挿入し、フランジ部を遊技機本体内に固着するものである。
【発明の効果】
【００１１】
本発明の弾球遊技機によれば、記憶手段の前面側及び背面側を遊技盤及び背面カバーで覆うので、記憶手段へのアクセスを防止して不正な交換を防止することができる。また、記憶手段の交換は、遊技機本体の前面側から行なうことができるので、交換作業が簡単になり、機種変更にかかる時間を短縮することができる。更に、遊技盤が閉じられた状態、または背面カバーが装着されている状態でも視認窓によって記憶手段を確認できるので、記憶手段の確認検査を簡単に行なうことができ、不正な交換を早期に発見することができる。
【００１２】
また、遊技盤は、下方の受け皿ユニットが開放されないと開くことができないので、遊技盤の不正開放を防止することができる。
【００１３】
更に、前面扉と遊技盤の軸支方向が異なるようにしたので、遊技盤を開放するためには、前面扉を大きく開放しなければならない。これにより、遊技盤の不正な開放が目立つので発見しやすくなる。
【００１４】
また、背面カバーを遊技機本体の前面側から挿入して、外側に突出されたフランジを遊技機本体内に固着するようにしたので、背面カバーが背面側から取り外されて記憶手段にアクセスされることはない。
【発明を実施するための最良の形態】
【００１５】
図１に示す本発明のパチンコ機２は、遊技球が流下する遊技領域３が前面に設けられた遊技盤４と、この遊技盤４が前面側に配置された遊技機本体５と、遊技盤４の前方を開閉できるように一端部が遊技機本体５に回動自在に軸支された前面扉６と、この前面扉６の下方に配置され、同様に開閉自在とされた受け皿ユニット７から構成される。
【００１６】
遊技機本体５内には、遊技盤４上に遊技球を打ち出す発射機構１０（図２参照）、入賞時に賞球を払い出す払出し機構、パチンコ機２の全体を制御する制御基板等が組み込まれている。この遊技機本体５は、外周に設けられた固定枠１１の内側に取り付けられ、この固定枠１１が遊技店の島設備に固定される。
【００１７】
前面扉６は、左側端縁６ａの上下に立設された回動軸６ｂ（図３参照）が遊技機本体５に回動自在に軸支され、遊技盤４の前方を覆う閉じ位置と、図２に示すように遊技盤４の前方を開放する開き位置の間で開閉される。前面扉６の開放側の側縁６ｃには、閉じ位置で遊技機本体５に係止する錠１４が設けられており、この錠１４を解除しないと前面扉６は開放位置に回動することができない。前面扉６の中央には、閉じられている状態で遊技盤４を視認可能にする開口６ｄが設けられている。この開口６ｄは、ガラス板１５によって裏側から遮蔽される。
【００１８】
受け皿ユニット７は、左側端縁１８ａが遊技機本体５に回動自在に軸支され、発射機構１０等の前方を覆う閉じ位置と、開放する開き位置の間で開閉される下部扉１８と、遊技時に操作される操作ハンドル１９と、受け皿２０を備えている。図３に示すように、下部扉１８は、上端１８ｂが前面扉６の下端６ｅの背後にオーバーラップしており、前面扉６が開放されたときに開放可能となる。この下部扉１８にも前面扉６と同様に遊技機本体５に係止する錠が設けられている。なお、錠本体（シリンダ部等）が設けられる場所は、遊技機本体側であってもよい。
【００１９】
操作ハンドル１９は、遊技者が把持して回転操作できる構造を有し、回転操作により内部に組み込んだ回転ボリューム（図示せず）が回転すると、その回転量に合わせた打ち出し強さで発射機構１０が動作し、遊技領域３上に遊技球が打ち出される。受け皿２０は、遊技機本体５から払い出された遊技球を貯留し、整列させて発射機構１０に送り出す。また、受け皿２０内に収容している遊技球を下方に置かれた球箱内に排出する排出弁を有している。
【００２０】
図２及び図３に示すように、遊技盤４は、例えば透明なプラスチック板で形成され、遊技機本体５内に設けられた枠状の遊技盤収納部２３内に取り付けられている。遊技盤４の前面には、遊技領域３を構成する各種構造物が取り付けられ、遊技領域３上で入賞しなかった遊技球を遊技盤４上から回収する回収口２４が設けられている。
【００２１】
上記構造物は、打ち出された遊技球をガイドする金属製レール２５と、例えば不透明なプラスチックで形成された左レール枠２６及び右レール枠２７と、センター役物と呼ばれる構造物２８と、通過チャッカー２９，始動チャッカー３０，入賞チャッカー３１，アタッカー３２等の遊技球が入賞する入賞装置と、これらの間に適宜配置された釘から構成される。なお、遊技盤４上の各構造物については周知なので、詳しい説明は省略する。また、図面の煩雑化を避けるため釘は図示しておらず、図３には右レール枠２７以外の各種構造物及び釘を図示していない。
【００２２】
遊技盤４は、両側面の上部に左右方向に突出された回動軸３５が設けられており、この回動軸３５が遊技盤収納部２３内に設けられた軸受け部材３６（図５参照）に軸支されることにより、図２及び図３に示す遊技位置と、図４及び図３中に２点鎖線で示す着脱位置の間で回動自在となる。遊技盤４の開閉方向が前面扉６の開閉方向と直交する方向となるため、前面扉６を大きく開放しなければ遊技盤４を開放することができない。これにより、遊技盤４の不正な開放が目立つようになり、発見しやすくなる。
【００２３】
図５（Ａ）に示すように、回動軸３５の断面形状は、円の外縁近傍が遊技盤４の前面及び背面に対して平行、かつ中心に対して対称にカットされて幅狭部３５ａが形成された略小判形状である。軸受け部材３６には、回動軸３５の円弧状の外周面３５ｂを収容して回動自在に支持する円形の軸支部３６ａと、この軸支部３６ａと軸受け部材３６の外部とを接続する連通部３６ｂと、連通部３６ｂに対する回動軸３５の受け入れ窓口を広げる受け入れガイド片３６ｃが設けられている。連通部３６ｂは、回動軸３５の外周面３５ｂの外径よりも狭く、幅狭部３５ａよりも広い幅を有しており、遊技機本体５の前方の斜め上方を向くように設置されている。これにより、遊技盤４は、回動軸３５の幅狭部３５ａが連通部３６ｂに合致する着脱位置まで回動させたときに、同図（Ｂ）に示すように、遊技機本体５に対して着脱可能となる。
【００２４】
また、遊技盤４の左レール枠２６及び右レール枠２７の下端には、受け皿ユニット７の下部扉１８の背後にオーバーラップする一対のロック片２６ａ，２７ａが設けられている。このロック片２６ａ，２７ａは、受け皿ユニット７が閉じられているときにその移動経路が下部扉１８によって塞がれるため、遊技盤４は、受け皿ユニット７が開放されたときにのみ着脱位置に向けて回動することができる。また、ロック片２６ａ，２７ａは、遊技盤収納部２３の底面部に設けた凹部２３ａに嵌合することによって、固定保持状態とすることができる。
【００２５】
遊技盤４の背後には、ＬＣＤパネル３９と、このＬＣＤパネル３９の背後で上下に並べられた主制御基板４０及び副制御基板４１が配置されている。ＬＣＤパネル３９は、遊技盤４の入賞チャッカー３１及びアタッカー３２よりも上方の領域に対面するサイズを有し、所定の画像を表示して遊戯時の演出を行なう。主制御基板４０は、ＣＰＵ，ＲＯＭ、ＲＡＭ等を有し、パチンコ機２における遊技動作を制御する。副制御基板４１は、主制御基板４０による遊技動作の制御に同期して、ＬＣＤパネル３９や各種ランプ、演出音声等の出力を制御する。
【００２６】
副制御基板４１の前面で右側下方には、コネクタ４４が設けられており、このコネクタ４４には、本発明の記憶手段であるＲＯＭカセット４５が接続される。このＲＯＭカセット４５は、例えば、演出画像や演出データ、制御プログラム等が記憶されたＲＯＭチップと、このＲＯＭチップの制御回路が設けられた制御基板と、ＲＯＭチップ及び制御基板を収容するカセットケースから構成され、ＲＯＭカセット４５の前面には、正規品であることを表すＲＯＭシール４６が貼付されている。コネクタ４４の外周には、側方からのＲＯＭカセット４５へのアクセスを防止する筒状の保護パネル４７が設けられる。
【００２７】
本発明のパチンコ機２は、ＲＯＭカセット４５の交換により機種変更（遊技動作や演出動作等の変更）が可能である。ＲＯＭカセット４５は、前面扉６、受け皿ユニット７、遊技盤４の全てが開放されたときに、遊技機本体５の前面側から交換することができる。これにより、機種変更に必要な作業数が遊技盤を交換する従来機種よりも少なくなる。また、前面側から交換できるため、作業効率も向上する。これにより、ローコスト、かつ短時間で機種変更を行なうことができる。
【００２８】
右レール枠２７には、遊技盤４を部分的に露呈させる開口であり、遊技盤４の背後を視認可能にする視認窓５０が設けられている。この視認窓５０は、ＲＯＭカセット４５に対面する位置に設けられている。これにより、遊技盤４は、ＬＣＤパネル３９を観察可能にする第１窓領域と、記憶手段であるＲＯＭカセット４５を観察可能にする第２窓領域を有する。
【００２９】
視認窓５０は、前面扉６が閉じられたときに開口６ｄを通して視認可能な位置に設けられているため、ＲＯＭカセット４５及びＲＯＭシール４６は、前面扉６を通してパチンコ機２の前面側から観察することができる。これにより、前面扉６や遊技盤４を開放することなくＲＯＭカセット４５を確認することができるので、ＲＯＭカセット４５の不正な交換、改造を防止し、迅速に発見することができる。
【００３０】
上記ＬＣＤパネル３９と、主制御基板４０及び副制御基板４１は、遊技盤収納部２３内に組付けられる背面カバー５３に取り付けられる。図６に示すように、背面カバー５３は、開口部５３ａの周縁に外側に向けて突出されたフランジ部５３ｂを有する略箱形状であり、遊技機本体５を前後に貫通する遊技盤収納部２３の前面側から開口部５３ａが前方を向いた状態で挿入され、フランジ部５３ｂに形成された複数の取付孔５３ｃを利用して、遊技機収納部２３内の裏面側周囲部に設けられた取付面５４にネジ止めされる。
【００３１】
フランジ部５３ｂと接合する取付面５４は、背面カバー５３の箱形状部５３ｄが挿入される開口５４ａが形成された枠形状であり、図７に示すように、箱形状部５３ｄはパチンコ機２の背面から突出される。これにより、背面カバー５３は、パチンコ機２の背面側から取り外すことができず、かつ背面カバー５３内のコネクタ４４やＲＯＭカセット４５に容易にアクセスすることもできない。
【００３２】
背面カバー５３内には、ネジ穴が形成された複数のボス５３ｅが設けられており、ＬＣＤパネル３９と、主制御基板４０及び副制御基板４１は、それぞれの側面に設けられた取付片３９ａ，４０ａ，４１ａがボス５３ｅにネジ止めされて、背面カバー５３内に取り付けられる。遊技盤収容部２３は、その外周が閉塞されたいわゆる枠状空間であり、この枠状空間内に主制御基板４０及び副制御基板４１と、ＲＯＭカセット４５を収納し、前面側及び背面側を遊技盤４と背面カバー５３とで塞ぐことで、枠状空間内に対する外部からの侵入を阻止して、ＲＯＭカセット４５に対する不正なアクセスを防止できる密閉空間が得られる。
【００３３】
次に、上記実施形態の作用について説明する。パチンコ店では、営業前または営業後にパチンコ機２に対する不正の有無が確認される。この確認の一つとして、前面扉６の開口６ｄと視認窓５０とを通してＲＯＭカセット４５及びＲＯＭシール４６を観察することにより、ＲＯＭカセット４５の不正交換、不正改造を発見することができる。これにより、前面扉６及び受け皿ユニット７等を開放する必要がなく、島設備内に入ってパチンコ機２の背面を確認する必要もないので、簡単かつ短時間で確認することができる。
【００３４】
ＲＯＭカセット４５にアクセスするには、前面扉６及び受け皿ユニット７を横方向に開放し、遊技盤４を上方に開放しなければならない。しかし、遊技盤４を開放するには、前面扉６及び受け皿ユニット７を大きく開放しなければならないため、営業中に不正に行なわれると非常に目立つ作業となり、容易に発見することができる。
【００３５】
パチンコ機２の機種変更は、前面扉６及び受け皿ユニット７を横方向に開放し、遊技盤４を上方に開放し、遊技機本体５の前面側からＲＯＭカセット４５にアクセスして交換するだけなので、ローコストかつ短時間で行なうことができる。
【００３６】
なお、上記実施形態では、視認窓５０が前面扉６の開口６ｄから観察できるようにしたが、開口６ｄから見えない位置に配置してもよい。また、遊技盤４のロックをロック片２６ａ，２７ａで行なうようにしたが、錠を用いてもよいし、ロック片と錠を併用してもよい。また、視認窓５０は、背面カバー５３に設けてもよい。この場合、背面カバー５３全体を透過性を有する材質で形成してもよいし、ＲＯＭカセット４５に対面する位置に開口を形成し、この開口を透過性を有する遮蔽盤で塞いでもよい。
【図面の簡単な説明】
【００３７】
【図１】本発明を用いたパチンコ機の構成を示す外観斜視図である。
【図２】前面扉を開放した状態を示すパチンコ機の外観斜視図である。
【図３】パチンコ機の横方向断面図である。
【図４】前面扉及び遊技盤を開放した状態を示すパチンコ機の外観斜視図である。
【図５】遊技盤の軸受け構造を示す側面図である。
【図６】遊技機本体に対する背面カバー等の組み込み状態を示す分解斜視図である。
【図７】パチンコ機の背面側の外観斜視図である。
【符号の説明】
【００３８】
２  パチンコ機
４  遊技盤
５  遊技機本体
７  受け皿ユニット
２３  遊技盤収納部
２６  左レール枠
２７  右レール枠
２６ａ，２７ａ  ロック片
３９  ＬＣＤパネル
４０  主制御基板
４１  副制御基板
４４  コネクタ
４５  ＲＯＭカセット
５０  視認窓
５３  背面カバー
【図１】
2009017934.tif 000003
【図２】
2009017934.tif 000004
【図３】
2009017934.tif 000005
【図４】
2009017934.tif 000006
【図５】
2009017934.tif 000007
【図６】
2009017934.tif 000008
【図７】
2009017934.tif 000009